(57)【要約】【課題】無溶剤型液状ガスケットを素材として、２物品の合わせ目を簡素にシールする方法と、液状ガスケットを素材として形成されるシール部材を提供する。【解決手段】２物体におけるシールを要する合わせ面に、適宜の閉結形状をなすとともに、合わせ面の外側方へ向かって開口する複数の誘導溝２、２ａが連設された環状溝１を形成し、いずれかの誘導溝２、２ａの外側端より液状ガスケット４を注入して、液状ガスケット４を環状溝１の全体に行き渡らせ、かつ他の誘導溝２、２ａより空気抜きを行わせるとともに、この誘導溝２、２ａの外側端より、余剰の液状ガスケット４を溢出させる。【選択図】  図１
2006316919.tif 000002
【特許請求の範囲】
【請求項１】
２物体におけるシールを要する合わせ面に、適宜の閉結形状をなすとともに、合わせ面の外側方へ向かって開口する複数の誘導溝が連設された環状溝を形成し、いずれかの誘導溝の外側端より液状ガスケットを注入して、液状ガスケットを環状溝の全体に行き渡らせ、かつ他の誘導溝より空気抜きを行わせるとともに、この誘導溝の外側端より、余剰の液状ガスケットを溢出させることを特徴とする２物体間のシール方法。
【請求項２】
液状ガスケットにおける誘導溝の外側端より外部へ溢出した部分を、経時硬化を待って、除去することを特徴とする請求項１記載の２物体間のシール方法。
【請求項３】
環状溝の内側に、それとほぼ相似形をなすとともに、それと連通する副環状溝を設け、外側の環状溝の誘導溝より注入した液状ガスケットの余剰分を、副環状溝内へ溢流させることを特徴とする請求項１記載の２物体間のシール方法。
【請求項４】
副環状溝内へ溢流した液状ガスケットをもって、外側の環状溝内に形成される板状シール体と連なる閉結内側シール体を形成させることを特徴とする請求項３記載の２物体間のシール方法。
【請求項５】
副環状溝を、外側の環状溝よりも深いものとすることにより、内側の閉結環状シール体を、外側の閉結環状シール体よりも厚肉のものとすることを特徴とする請求項４記載の２物体間のシール方法。
【請求項６】
副環状溝の内側に、それとほぼ相似形をなすとともに、それに連通する適数の内側副環状溝を、さらに設けておくことを特徴とする請求項３〜５のいずれかに記載の２物体間のシール方法。
【請求項７】
２物体におけるシールを要する合わせ面に介設される液状ガスケットからなる閉結環状の板状シール体の内側に、液状ガスケットからなる閉結環状の厚肉シール体を連設したことを特徴とするシール部材。
【発明の詳細な説明】
【技術分野】
【０００１】
本発明は、空気中の湿気と反応して硬化する性質を有する液状ガスケットを使用する２物体間のシール方法、並びにシール部材に関する。
【背景技術】
【０００２】
ピストン往復式気体吸排装置には、図６に略示するように、適宜の動力により往復運動させられるピストン(20)が嵌合されているシリンダ(21)の上面に、それぞれ板状ガスケット(22)(23)を介して、シリンダーカバー(24)とシリンダーヘッド(25)を重合し、これらをボルト(26)等で締着したものがある。
【０００３】
シリンダーヘッド(25)は、側方に並ぶ吸気室(27)と排気室(28)を有し、各室(27)(28)の底壁に穿設された通孔(29)(30)は、それぞれシリンダーカバー(24)に穿設された吸入孔(31)および吐出孔(32)と連通している。吸入口(31)の下端には吸気弁(33)が、また吐出孔(32)と連通する通孔(30)の上面には、吐出弁(34)が設けられている。
【０００４】
ピストン(20)が往復動することにより、吸気室(27)の側面の入口孔(35)より吸入された外気は、通孔(29)、吸入孔(31)、シリンダー(21)内、吐出孔(32)、通孔(30)を経て、排気室(28)の側面の出口孔(36)から吐出される。
【０００５】
上記ガスケット(22)(23)には、耐熱性が要求されるため、従前は、アスベストからなるものが使用されていたが、人体に対する悪影響等のため、近時は、非アスベスト系のものに転換するべく、様々な試みがなされている。
【０００６】
その中、現在のところ最も好ましいとされているものは、空気中の湿気と反応して硬化し、硬化後も、弾性と耐熱性を発揮するシリコーン系の無溶剤型液状ガスケットである。
【０００７】
しかし、図５中におけるシリンダーカバー(24)とシリンダ(21)のように、合わせ面の一方が平面で、他方が内側部に肉のない円筒状等である場合、合わせ面に注入された液状ガスケットの一部が、円筒状体であるシリンダ(21)の内側へ溢出して硬化し、その微片又は細粉が、ピストン(20)の円滑な作動は妨げられることとなる。
【発明の開示】
【発明が解決しようとする課題】
【０００８】
本発明は、無溶剤型液状ガスケットを素材として、２物品の合わせ目を簡単にシールする方法と、液状ガスケットを素材として形成されるシール部材を提供することを目的としている。
【課題を解決するための手段】
【０００９】
本発明によると、上記課題は、特許請求の範囲に記載されている通りの次のような手段により解決される。
(１)２物体におけるシールを要する合わせ面に、適宜の閉結形状をなすとともに、合わせ面の外側方へ向かって開口する複数の誘導溝が連設された環状溝を形成し、いずれかの誘導溝の外側端より液状ガスケットを注入して、液状ガスケットを環状溝の全体に行き渡らせ、かつ他の誘導溝より空気抜きを行わせるとともに、この誘導溝の外側端より、余剰の液状ガスケットを溢出させる。
【００１０】
(２)上記(１)項において、液状ガスケットにおける誘導溝の外側端より外部へ溢出した部分を、経時硬化を待って、除去する。
【００１１】
(３)上記(１)項において、環状溝の内側に、それとほぼ相似形をなすとともに、それと連通する副環状溝を設け、外側の環状溝の誘導溝より注入した液状ガスケットの余剰分を、副環状溝内へ溢流させる。
【００１２】
(４)上記(３)項において、副環状溝内へ溢流した液状ガスケットをもって、外側の環状溝内に形成される板状シール体と連なる閉結内側シール体を形成させる。
【００１３】
(５)上記(４)項において、副環状溝を、外側の環状溝よりも深いものとすることにより、内側の閉結環状シール体を、外側の閉結環状シール体よりも厚肉のものとする。
【００１４】
(６)上記(３)〜(５)項のいずれかにおいて、副環状溝の内側に、それとほぼ相似形をなすとともに、それに連通する適数の内側副環状溝を、さらに設けておく。
【００１５】
(７)  ２物体におけるシールを要する合わせ面に介設される液状ガスケットからなる閉結環状の板状シール体の内側に、液状ガスケットからなる閉結環状の厚肉シール体を連設する。
【発明の効果】
【００１６】
請求項１に係る発明：−
２部体の合わせ面の一方または双方に形成された閉結する環状溝に連なるいずれかの誘導溝の外側端より、液状ガスケットを圧入すると、液状ガスケットは、自動的に環状溝全体に行き渡るとともに、環状溝内の空気は、他の誘導溝より排出されて、２物体の合わせ面にシール体が形成される。
【００１７】
請求項２に係る発明：−
誘導溝の外側端より、外部へ突出して硬化した部分を、カッター等により、簡単に切除するか、折って千切ることができる。
【００１８】
請求項３に係る発明：−
液状ガスケットの余剰分は、副環状溝内に溜まり、外部へ出ることはないので、突出した部分を切除する手間はなくなる。
【００１９】
請求項４に係る発明：−
板状シール体の内側に、閉結内側シール体が形成されるので、シールはより確実となる。
【００２０】
請求項５に係る発明：−
内側の環状シール体は、内側方よりの圧力を強固に受け止めるので、一方の合わせ面が筒状体である場合に好都合である。
【００２１】
請求項６に係る発明：−
外側の副環状溝より万一溢出した液状ガスケットは、その内側の副環状溝に流入するので、一方の合わせ面が筒状体である場合にも、板状ガスケットが筒状体の内側へ溢流するおそれは、きわめて小となる。
【００２２】
請求項７に係る発明：−
一方の合わせ面が筒状体である場合において、内側の環状シール体は、内側方よりの圧力を強固に受支する。
【発明を実施するための最良の形態】
【００２３】
図１〜図４は、本発明の実施形態を示す。図５に示した従来のものと同様の部分には、同様の符号を付し、異なる点についてのみ説明する。
【００２４】
合わせ面であるシリンダー(21)の上面とシリンダーカバー(24)の間、およびシリンダーカバー(24)とシリンダーヘッド(25)との間に、本発明が適用されている。
【００２５】
図１および図２に示すように、合わせ面の一方であるシリンダー(21)の上面と、シリンダーカバー(24)の上面に、図２、図３に示すように、要所を囲繞する閉結環状溝(１)が形成され、環状溝(１)の適所には、外側端が開口する適数の誘導溝(２)(2a)が連設されている。
【００２６】
一つの誘導溝(2a)より、注入器(３)をもって環状溝(１)内へ液状ガスケット(４)を注入し、それに伴い、他の誘導溝(２)より環状溝(１)内の空気を排出させるとともに、余剰の液状ガスケット(４)を溢出させる。
【００２７】
溢出した液状ガスケット(４)を、経時硬化を待って、適宜の刃物で切削する。
【００２８】
図４、図５は、シリンダー(21)の上面における環状溝(１)の内側に、それと相似形の小寸の副環状溝(５)を同心的に設けたものである。副環状溝(５)は環状溝(１)と一体に形成することもあれば、両者を適宜の連通溝(2b)をもって連通させることもある。
【図面の簡単な説明】
【００２９】
【図１】本発明の一実施形態を示す縦断面図である。
【図２】図１におけるII−II線横断面図である。
【図３】図１におけるIII−III線横断面図である。
【図４】異なる例を示す図１と同様の図の要部のみを示す図である。
【図５】図４におけるＶ−Ｖ線横断面図である。
【図６】本発明が適用される合わせ面の例を示す縦断面図である。
【符号の説明】
【００３０】
(１)環状溝
(２)(2a)誘導溝
(2b)連通溝
(３)注入器
(４)液状ガスケット
(５)副環状溝
(６)内側副環状溝
(20)ピストン
(21)シリンダー
(22)(23)ガスケット
(24)シリンダーカバー
(25)シリンダーヘッド
(26)ボルト
(27)吸気室
(28)排気室
(29)(30)通孔
(31)吸入孔
(32)吐出孔
(33)吸気弁
(34)吐出弁
(35)入口孔
(36)出口孔
【図１】
2006316919.tif 000003
【図２】
2006316919.tif 000004
【図３】
2006316919.tif 000005
【図４】
2006316919.tif 000006
【図５】
2006316919.tif 000007
【図６】
2006316919.tif 000008